(57)【要約】      （修正有）【課題】シートの投入口から投入口の奥側に錠剤シートが正常に搬送されなかった場合でも、正常に投入口からシートが搬送される錠剤シート搬送ユニットを提供する。【解決手段】錠剤シート搬送ユニットが、投入口に載置されている錠剤シートを１枚ごとにシート搬送する搬送機構と、投入口から複数枚の送出を防止するために１枚ごとに錠剤シートが排出されるべき隙間を形成する重送防止部と、隙間から排出された錠剤シートの到達を重送防止部よりも離れた位置にて検知する検知機構とを備えて、シート搬送の開始以降の所定時間内に検知機構が到達を検知できた場合には、搬送機構が投入口に載置されている錠剤シートの離れた位置までの搬送を完了し、開始以降の所定時間内に到達を検知できない場合には、搬送機構がシート搬送を一時停止してから自動で再開するように搬送機構を制御する。【選択図】図３０
2014136039.tif 000002
【特許請求の範囲】
【請求項１】
投入口に載置されている錠剤シートを１枚ごとにシート搬送する搬送機構と、
前記投入口から複数枚の送出を防止するために、１枚ごとに錠剤シートが排出されるべき隙間を形成する重送防止部と、
前記隙間から排出された錠剤シートの到達を、前記重送防止部よりも離れた位置にて検知する検知機構と、
前記シート搬送の開始以降の所定時間内に前記検知機構が前記到達を検知できた場合には、前記搬送機構が前記投入口に載置されている錠剤シートの前記離れた位置までの搬送を完了し、前記開始以降の所定時間内に到達を検知できない場合には、前記搬送機構が前記シート搬送を一時停止してから自動で再開するように前記搬送機構を制御する搬送制御手段と、
を備えることを特徴とする錠剤シート搬送ユニット。
【請求項２】
前記搬送制御手段が自動で再開するように前記搬送機構を制御するまえに、前記搬送機構上で一時停止する錠剤シートの位置が変動するように前記シート搬送を一時停止する錠剤シートを振動させる振動手段と、
をさらに備えることを特徴とする請求項１に記載の錠剤シート搬送ユニット。
【請求項３】
少なくとも前記シート搬送する向きと反対の向きに、前記搬送機構が前記一時停止する錠剤シートを搬送することにより、前記振動手段が前記一時停止する錠剤シートの位置を変動させることを特徴とする請求項２に記載の錠剤シート搬送ユニット。
【請求項４】
前記搬送機構を駆動させる電源を一旦停止してから再供給することにより前記搬送機構が再開する位置を変更させて、前記振動手段が前記一時停止する錠剤シートの位置を変動させることを特徴とする請求項２に記載の錠剤シート搬送ユニット。
【請求項５】
前記シート搬送を一時停止してから自動で再開するような前記搬送機構への制御を前記搬送制御手段が所定回数繰り返したあとには、前記シート搬送を完全停止するエラー停止手段と、
をさらに備えることを特徴とする請求項１乃至請求項４の何れか１項に記載の錠剤シート搬送ユニット。
【請求項６】
錠剤を錠剤収容部に封入した錠剤シートから錠剤を取り出す錠剤取出しユニットであって、
前記錠剤取出しユニットが、
前記錠剤シート搬送ユニットと、
前記錠剤シートが載置される載置台と、
前記載置台上の錠剤シートの前記錠剤収容部を押圧して錠剤を取り出す押出し機構と、
前記錠剤シート搬送ユニットにより前記離れた位置までの搬送された錠剤シートを、前記載置台上の押圧される位置までさらに搬送する第２の搬送機構と、
を有することを特徴とする請求項１乃至請求項５の何れか１項に記載の錠剤取出ユニット。
【請求項７】
投入口に載置されている錠剤シートを１枚ごとにシート搬送する搬送機構と、前記投入口から複数枚の送出を防止するために、１枚ごとに錠剤シートが排出されるべき隙間を形成する重送防止部と、前記隙間から排出された錠剤シートの到達を、前記重送防止部よりも離れた位置にて検知する検知機構と、を備える錠剤シート搬送ユニットの制御方法であって、
前記シート搬送の開始以降の所定時間内に前記検知機構が前記到達を検知できた場合には、前記搬送機構が前記投入口に載置されている錠剤シートの前記離れた位置までの搬送を完了し、前記開始以降の所定時間内に到達を検知できない場合には、前記搬送機構が前記シート搬送を一時停止してから自動で再開するように前記搬送機構を制御する搬送制御工程と、
を含むことを特徴とする制御方法。
【請求項８】
投入口に載置されている錠剤シートを１枚ごとにシート搬送する搬送機構と、前記投入口から複数枚の送出を防止するために、１枚ごとに錠剤シートが排出されるべき隙間を形成する重送防止部と、前記隙間から排出された錠剤シートの到達を、前記重送防止部よりも離れた位置にて検知する検知機構と、を備える錠剤シート搬送ユニットが読み取り実行可能なプログラムであって、
前記錠剤シート搬送ユニットを、
前記シート搬送の開始以降の所定時間内に前記検知機構が前記到達を検知できた場合には、前記搬送機構が前記投入口に載置されている錠剤シートの前記離れた位置までの搬送を完了し、前記開始以降の所定時間内に到達を検知できない場合には、前記搬送機構が前記シート搬送を一時停止してから自動で再開するように前記搬送機構を制御する搬送制御手段と、
として機能させることを特徴とするプログラム。
【発明の詳細な説明】
【技術分野】
【０００１】
錠剤シート搬送ユニット、およびその制御方法とプログラムの技術に関する。
【背景技術】
【０００２】
従来、調剤業務において処方箋の錠剤を患者に提供するために、処方の形態に応じて、１枚ずつＰＴＰシートを搬送させて、ＰＴＰシートが収容する錠剤を、ＰＴＰシートから取り出したり、１枚ずつＰＴＰシートを収容棚から取り出して患者に提供する作業がある。
特許文献１には適正姿勢の錠剤シートのみを選別するために、移動阻止部により適正姿勢ではない錠剤シートの移動を阻止する技術が開示されている。
【０００３】
特許文献２には錠剤シートの重送を防止するために、錠剤カセットの外に取り出す際に、先の錠剤シートのポケット位置が、次の錠剤シートから外れるタイミングで、先の錠剤シートを所定の高さ持ち上げる技術が開示されている。
【先行技術文献】
【特許文献】
【０００４】
【特許文献１】特開２０１２−１３９３１７号公報
【特許文献２】特開２０１２−１９２１９１号公報
【発明の概要】
【発明が解決しようとする課題】
【０００５】
特許文献１および特許文献２は、錠剤シートを１枚毎に適正に搬送する技術であるが、錠剤シートが正常に搬送されなかった場合におけるリカバリに関する技術については触れていない。
【０００６】
ＰＴＰシートの投入口に複数枚のＰＴＰシートを積んだ状態で、１枚づつＰＴＰシートを搬送しようとすると、歪曲しやすいＰＴＰシートの先端の反り等が要因となって、重送を防止する機構に、反った先端が引っ掛かり、投入口の奥に順次ＰＴＰシートが正常に搬送されないという現象が起こる。
【０００７】
そのような場合、正常に搬送できなかった変形したＰＴＰシートを人の手によってその都度上下させて無理やり押し込んだり、さらにエラーにより搬送が自動停止している場合にはシート搬送のやり直し指示を、もう一度実行する必要があり、このような対応は使用者にとって非常に手間な作業となっていた。さらに使用者は正常にＰＴＰシートが搬送されているかどうかをその都度確認する必要があり、ＰＴＰシートが正常に搬送されているかを頻繁に目視確認する必要があった。
【０００８】
本発明は、シートの投入口から投入口の奥側に錠剤シートが正常に搬送されなかった場合でも、これまで正常に投入口からシートが搬送されるように使用者に対応させていた使用者の手間を減らすことが可能な仕組みを提供することを目的とする。
【課題を解決するための手段】
【０００９】
本発明は、投入口に載置されている錠剤シートを１枚ごとにシート搬送する搬送機構と、前記投入口から複数枚の送出を防止するために、１枚ごとに錠剤シートが排出されるべき隙間を形成する重送防止部と、前記隙間から排出された錠剤シートの到達を、前記重送防止部よりも離れた位置にて検知する検知機構と、前記シート搬送の開始以降の所定時間内に前記検知機構が前記到達を検知できた場合には、前記搬送機構が前記投入口に載置されている錠剤シートの前記離れた位置までの搬送を完了し、前記開始以降の所定時間内に到達を検知できない場合には、前記搬送機構が前記シート搬送を一時停止してから自動で再開するように前記搬送機構を制御する搬送制御手段と、を備えることを特徴とする。
【００１０】
また、前記搬送制御手段が自動で再開するように前記搬送機構を制御するまえに、前記搬送機構上で一時停止する錠剤シートの位置が変動するように前記シート搬送を一時停止する錠剤シートを振動させる振動手段と、をさらに備えることを特徴とする。
【００１１】
また、少なくとも前記シート搬送する向きと反対の向きに、前記搬送機構が前記一時停止する錠剤シートを搬送することにより、前記振動手段が前記一時停止する錠剤シートの位置を変動させることを特徴とする。
【００１２】
また、前記搬送機構を駆動させる電源を一旦停止してから再供給することにより前記搬送機構が再開する位置を変更させて、前記振動手段が前記一時停止する錠剤シートの位置を変動させることを特徴とする。
【００１３】
また、前記シート搬送を一時停止してから自動で再開するような前記搬送機構への制御を前記搬送制御手段が所定回数繰り返したあとには、前記シート搬送を完全停止するエラー停止手段と、をさらに備えることを特徴とする。
【発明の効果】
【００１４】
本発明により、シートの投入口から投入口の奥側に錠剤シートが正常に搬送されなかった場合でも、これまで正常に投入口からシートが搬送されるように使用者に対応させていた使用者の手間を減らすことが可能な仕組みを提供することが可能となる。
【図面の簡単な説明】
【００１５】
【図１】包装装置と錠剤供給装置を示す図。
【図２】錠剤供給装置を示す図。
【図３】錠剤取出ユニットの内部構造を示す図。
【図４】錠剤取出ユニットの内部構造を示す図。
【図５】錠剤供給装置の内部構造を示す図。
【図６】錠剤供給ユニットの内部構造を示す図。
【図７】包装ユニットの内部構造を示す図。
【図８】錠剤取出し機構の押出しブロックの動作を示す図。
【図９】錠剤取出し機構の押出し板の動作を示す図。
【図１０】除包動作を示す図。
【図１１】リトライ動作を（除包速度）示す図。
【図１２】フローチャートを示す図である。
【図１３】リトライ動作（除包位置）を示す図。
【図１４】フローチャートを示す図。
【図１５】フローチャートを示す図。
【図１６】検出位置と除包位置示す図。
【図１７】フローチャートを示す図。
【図１８】錠剤シートの反り補正機構の構造を示す図。
【図１９】錠剤取出しユニットが錠剤シートから１包毎に除包動作を行う錠剤ポケットの順番を示す図。
【図２０】錠剤取出しユニットの除包モータ機構の内部構造を示した図。
【図２１】錠剤取出しユニットが左列の除包動作（通常時）を行う場合を示した図。
【図２２】錠剤取出しユニットが右列の除包動作（通常時）を行う場合を示した図。
【図２３】錠剤取出しユニットが左列の除包動作（リトライ時）を行う場合を示した図。
【図２４】錠剤取出しユニットが除包処理を行う際の全体の処理ステップのフローチャートを示す図。
【図２５】錠剤取出ユニットの内部構造を示す断面図を示す図。
【図２６】錠剤取出ユニットの内部構造を示す傾斜図を示す図。
【図２７】錠剤シートが歪曲している場合に、錠剤シートが重送防止部に引っかかってしまう例を示す図。
【図２８】錠剤シートが歪曲している場合に、錠剤シートが重送防止部に引っかかってしまう例を示す図。
【図２９】錠剤取出しユニットが錠剤シートの排出ミスを検出するためのフローチャートを示す図。
【図３０】錠剤取出しユニットが錠剤シートの排出ミスをするリカバリするためのフローチャートを示す図。
【発明を実施するための形態】
【００１６】
図１を説明する。
図１は、包装装置５と錠剤供給装置１０を示す図である。
錠剤供給装置１０及び錠剤供給装置から供給された錠剤を包装する包装装置５とで構成されている錠剤供給システムである。
１は錠剤取出ユニットであり、錠剤シート５１から錠剤を取り出すユニットである。
【００１７】
錠剤供給装置には複数の錠剤取出ユニットが収納されている。錠剤取出ユニット１は、幅方向（左右方向）に６つが並べられ、この６つの錠剤取出ユニットからなる組が上下に３段に配置されている。すなわち、錠剤取出ユニット１は、左右６列、上下３段に配列されている。
錠剤供給装置１０は複数の錠剤取出ユニット１を備えているが、錠剤取出ユニットの数は１でもよい。
５は包装装置であり、錠剤供給装置の錠剤取出ユニットから供給された錠剤を包装する装置である。
１０は錠剤供給装置であり、錠剤取出ユニットにより錠剤シートから錠剤を取り出して供給する。錠剤供給装置は複数の錠剤取出ユニット１を備えている。
錠剤供給装置１０は、複数の錠剤をそれぞれ錠剤収容部に封入した錠剤シートから錠剤を取り出して供給する。
錠剤供給装置１０は、１または複数の錠剤取出しユニットと、錠剤取出しユニットで取り出された錠剤を供給する供給ユニットとを備えている。
図２を説明する。
図２は、錠剤供給装置を示す図である。
錠剤供給装置を正面側から見た図である。
２０３は錠剤シートの投入口である。
図３を説明する。
図３は、錠剤取出ユニット１０の内部構造を示す図である。
錠剤取出ユニットを正面側から見た図である。
【００１８】
錠剤取出しユニット１０は、錠剤シートを搬送する第２の搬送機構と、第２の搬送機構により搬送された錠剤シートが載置される載置台と、載置台上の錠剤シートの錠剤収容部を押圧して錠剤を取り出す押出し機構とを有している。
５１は錠剤シートである。
【００１９】
錠剤シートは、錠剤を収容する錠剤収容部を有するシート本体の下面に、アルミニウム等からなる金属箔などを用いた封止シートを設けることによって錠剤を錠剤収容部に密封したものである。錠剤シートは、シート部上に凸状の錠剤収容部が幅方向に間隔をおいて２列に並んだ形態である。各列をなす複数の錠剤収容部は錠剤シートの長さ方向に沿って並んでいる。
【００２０】
なお、錠剤シートとしては、シート部上に錠剤収容部が２列に並んだ形態のものに限らず、錠剤収容部が錠剤シートの長さ方向に１列に並んだ形態や、錠剤収容部が幅方向に間隔をおいて３列以上の複数列に並んだ形態も可能である。
図４を説明する。
図４は、錠剤取出ユニットの内部構造（断面）を示す図である。
錠剤シート投入口へシートをセットし、ＰＴＰシートを除包位置（錠剤の取出位置）まで搬送を行った際の図である。
【００２１】
錠剤取出ユニットは、錠剤シートを搬送する錠剤シート搬送機構（第２の搬送機構）と、錠剤シートが載置される載置台１８と、錠剤シートから錠剤を取り出す錠剤取出機構（押出し機構）とを備えている。
３９は下部ローラ（第２の搬送機構）である。
【００２２】
錠剤シート搬送機構（第２の搬送機構）は、錠剤シートを進行方向に向け搬送するものであって、進行方向に互いに間隔をおいて設けられた下部ローラと、進行方向に互いに間隔をおいて設けられた上部ローラとを備えている。
【００２３】
搬送機構３９は、錠剤収容部の押圧を継続するまえに載置台上の押圧される位置から所定の距離だけ錠剤シートをさらに搬送し、押出し機構が、錠剤収容部の押圧を継続（リトライ）する。（錠剤供給方法）
下部ローラは駆動源により回転駆動可能であり、シート部の下面に当接して錠剤シートに進行方法への力を加えることができる。
上部ローラは、駆動源により回転駆動可能であり、シート部の上面に当接して錠剤シートに進行方向への力を加えることができる。
上部ローラの幅方向の位置は、２列の錠剤収容部の間に相当する位置であるため、上部ローラは錠剤収容部５２に当接することはない。
【００２４】
下部ローラと上部ローラはシート部を上下から挟み込んで錠剤シートを進行方向に搬送できる。さらに下部ローラと上部ローラはシート部を上下から挟み込んで錠剤シート５１を進行方向とは逆の方向にも搬送できる。
２４は導入シュートである。
導出シュート２４は、排出口に落とし込まれた錠剤を導くものであって、排出口を含む大きさの上部開口を有し、載置台の下面側に設けられている。
錠剤取出しユニットは、載置台上の錠剤シートの錠剤収容部を押圧する速度を変更させる変更機構をさらに有している。
押出し機構は、より高速に変更された速度で錠剤収容部の押圧を継続（リトライ）する。
押出し機構は、錠剤収容部の中央付近を押圧する内側押圧体８３と、中央付近よりも外側の部分を押圧する外側押圧体８４とを含んでいる。
内側押圧体と外側押圧体とが独立して動作することで錠剤収容部を押圧して錠剤を取り出す。
押出し機構は、内側押圧体よりも先に外側押圧体により錠剤収容部を押圧させる。
【００２５】
８３は内側押圧体である。内側押圧体の先端は、ほとんどの錠剤シートの錠剤収容部よりも面積が狭いので、内側押圧体は錠剤を取り出す場合（下降した場合）に、錠剤シートに開いた穴から先端が突き出る。
【００２６】
８４は外側押圧体である。外側押圧体の先端は、ほとんどの錠剤シートの錠剤収容部よりも面積が広いので、錠剤を取り出す場合（下降した場合）に、錠剤シートに開いた穴から先端が突き出ない。つまり錠剤シートの錠剤収容部を押し潰すためのものである。
錠剤取出機構（押出し機構）は、外側押圧体を昇降させる第１昇降機構と、内側押圧体を昇降させる第２昇降機構とを有する。
【００２７】
第１昇降機構は、外側押圧体が取り付けられた第１昇降体と、回転駆動して第１昇降体を昇降させるカムと、第１昇降体を上昇方向に付勢する付勢部材（ばね）とを備えている。
【００２８】
第１昇降体は、前後方向にわたって延在する柱状体であり、前端部分には外側押圧体が取り付けられている。カムは、外側押圧体の昇降動作を考慮して設計された形状の板状体であり、図示せぬ駆動機構によって回転駆動する軸部に固定されている。カムは、第１昇降体の上面側に設けられ、軸部の回転に伴って回転駆動し、第１昇降体を押圧することによって高さ位置を調整し、これによって外側押圧体の高さ位置を調整することができる。第１昇降機構は、カムの回転動作のタイミング、カムの形状、軸部に対するカムの固定位置などの設定によって、外側押圧体の昇降動作のタイミングや変位量を任意に設定できる。
【００２９】
第２昇降機構は、内側押圧体が取り付けられた第２昇降体と、回転駆動して第２昇降体を昇降させるカムと、第２昇降体を上昇方向に付勢する付勢部材（ばね）とを備えている。
【００３０】
第２昇降体は、前後方向にわたって延在する柱状体であり、前端部分には内側押圧体が取り付けられている。カムは、第２昇降体の上面側に設けられ、軸部の回転に伴って回転駆動し、第２昇降体を押圧して高さ位置を調整し、これによって内側押圧体の高さ位置を調整することができる。第２昇降機構は、カムの回転動作のタイミング、カムの形状、軸部に対するカムの固定位置などの設定によって、内側押圧体の昇降動作のタイミングや変位量を任意に設定できる。
【００３１】
このため、カム９４とカム９９は、それぞれ第１昇降体と第２昇降体に対して互いに独立に動作可能であり、内側押圧体と外側押圧体は、互いに独立に昇降動作させることができる。
【００３２】
錠剤取出機構における２つのカムの回転動作のタイミング等は、錠剤位置検出機構の検出部からの信号に基づいて定めることができる。具体的には、検出された錠剤収容部の位置に合わせて内側押圧体と外側押圧体を動作させることができる。
錠剤取出しユニットは、錠剤収容部の押圧をするまえに、押圧される錠剤収容部の長さを検出する検出機構１７をさらに有している。
錠剤供給装置は、検出した錠剤収容部の長さに基づいて所定の距離を算出する算出手段をさらに有している。
検出機構１７は、押圧される錠剤収容部の長さを検出するとともに押圧される錠剤収容部の位置をさらに検知する。
錠剤供給装置は、検知された錠剤収容部の位置に基づいて、押圧される位置までの搬送距離を算出する算出手段をさらに有する。
搬送機構３９は、搬送距離により載置台上の錠剤収容部が押圧される位置まで錠剤シートを搬送する。
搬送機構３９は、所定の距離だけ前方（進む）または後方（戻る）に錠剤シートを搬送する。
図５を説明する。
図５は、錠剤供給装置の内部構造を示す図である。
錠剤供給装置を背面側から見た図である。
【００３３】
２０４は、光学センサ（ビームセンサ）であり、落下物を検知するものである。除包された錠剤が排出ホッパ（導入シュート）内を落下する際、除包された錠剤がビームセンサ上を通過し、ビームセンサを遮光する。このビームセンサが遮光された状態をＯＮ状態とし、遮光されていない状態をＯＦＦ状態とする。このＯＮ／ＯＦＦ状態を用いて落下物の判定を行っている。
錠剤落下検出機構は、光学センサと落下錠剤カウンタとを有する。
錠剤供給装置は、押圧により錠剤収容部から錠剤が取り出されたかいなかを判定するべく、取り出された錠剤を検知する第２の検知機構２０４を有している。
【００３４】
押出し機構は、取り出された錠剤が検知されない場合には錠剤収容部の押圧を継続（リトライ）し、取り出された錠剤が検知された場合には錠剤収容部の押圧を継続（リトライ）しない。
４０１は、錠剤導入路である。錠剤シートから取り出され落下した錠剤を導入シュート２４から第１集積ホッパに中継する。
図６を説明する。
図６は、錠剤供給ユニット４００の内部構造を示す図である。
４０２は第１集積ホッパである。錠剤シートから取り出され落下した錠剤を集積する。
５０１は第２集積ホッパである。第１集積ホッパで集積された錠剤をさらに集積する。
５０２は第１の送り出し機構である。第２集積ホッパで集積された錠剤を第３の集積ホッパに移動させる。
５０３は第３集積ホッパである。送り出された錠剤を集積する。
５０４は第２の送り出し機構である。第３集積ホッパで集積された錠剤をメインホッパに移動させる。
５０５はメインホッパである。送り出された錠剤を集積し、包装シート（分包紙）の中に集積した錠剤を投入する。
図７を説明する。
図７は、包装ユニット７０１の内部構造を示す図である。
７０２は包装シートが連なるロール紙を包装機構に送り出すロール紙送出機構である。
７０３は加熱溶着により、包装シートの中に投入された錠剤を包装シートの中に封入する（包装機構）。
７０４は加熱溶着により、包装シートの中に投入された錠剤を包装シートの中に封入する（包装機構）。
７０５は、連なるロール紙を１包毎の包装シートに分断するための分断用ミシン目を包装シートに形成する。（分断機構）
７０６はプリンタであり、包装シートに、日付、患者データ、エラー情報を印字する（印字機構）。
図８を説明する。
【００３５】
図８は、通常除包時における、除包位置に到達後に、ブロック（外側押圧体）を動作させ、ＰＴＰシートのアルミ箔を破っている図である。ブロックはアルミ箔を破ることを目的としており、この時点では錠剤を取り出すことはできない。
【００３６】
錠剤シート５１が載置台上に達し、錠剤を取り出すべき錠剤収容部が排出口に相当する位置に至ると、軸部の回転駆動により第１昇降機構のカムが回動し、第１昇降体を下降させることによって外側押圧体が下降し、下縁部が、錠剤収容部の中央付近部分より外側の部分を下方に押圧する。
【００３７】
外側押圧体は、錠剤収容部の中央部分より外側の部分を押圧するため、中央部分を押圧する場合に比べ、錠剤には直接的な力は加えられない。このため、錠剤は完全に取り出されることはないが、錠剤の一部が封止シートを破って錠剤収容部から出た状態となる。この状態では、封止シートの破れはわずかであるため、錠剤は封止シートに支えられ、一部は錠剤収容部内に留まっている。また、封止シートが大きく破れて破片が生じることはない。
図９を説明する。
【００３８】
図９は、通常除包時において、押出し板を動作させ、突き出すようにして錠剤を押出す。一連の動作を行ってもＰＴＰシートのアルミ箔に錠剤が挟まり、錠剤を取り出すことができない場合がある。
【００３９】
次いで、軸部の回転駆動により第２昇降機構のカムが回動し、第２昇降体を下降させることによって内側押圧体が下降し、延出端部が、錠剤収容部の中央部分を下方に押圧する。
【００４０】
内側押圧体は錠剤収容部の中央部分を押圧するため、錠剤には直接的な力が加えられ、錠剤は完全に取り出される。これによって封止シートの破れは拡大するが、この破れは、外側押圧体によって生じた初期段階の少数箇所の破れが、内側押圧体により広げられたものであるから、破断箇所が少なく、封止シートの破片分離は起こりにくい。
【００４１】
これに対し、錠剤収容部に一度に大きな力が加えられて封止シートが破れる場合には、封止シートの多数箇所に同時に破れが生じやすいため、破片分離が起こりやすい。
【００４２】
このように、外側押圧体による第１段階の押圧によって錠剤が部分的に錠剤収容部から取り出され、次いで、内側押圧体による第２段階の押圧によって錠剤が完全に錠剤収容部から取り出されるため、各段階で錠剤に加えられる押圧力は小さくなる。このため、錠剤収容部に一度に大きな力が加えられる場合に比べ、錠剤の破損が起こりにくい。
図１０を説明する。
図１０は、図９を拡大した図である。
錠剤取出機構は、押圧部と、押圧部を錠剤収容部に接近する方向に移動させる昇降機構とを有する。
【００４３】
押圧部は、錠剤収容部の中央部分を押圧する内側押圧体（押し出し板）と、錠剤収容部の中央部分より外側の部分を押圧する外側押圧体（押し出しブロック）とを備えている。
外側押圧体はさらに、前壁部と、前壁部からその後方に間隔をおいて前壁部と平行に設けられた後壁部と、前壁部と後壁部の内縁に設けられた内壁部とを有する。
すなわち、外側押圧体は、向かい合う一対の対面壁部である前後壁部と、これらの一方の縁部間に設けられた内壁部を有する。
【００４４】
外側押圧体の下縁部は、内壁部の下縁部の前後端からそれぞれ前壁部および後壁部の下縁部が幅方向に延出する形状であるため、外側押圧体が下降すると、前後壁部、内壁部の下縁部が錠剤収容部を押圧する。
【００４５】
内側押圧体は、下端に向け幅が狭くなる延出端部を有する板状体であり、外側押圧体の前壁部、後壁部および内壁部に囲まれた空間内に挿通され、この空間内で上下に移動することができる。
図１１を説明する。
【００４６】
図１１は、リトライ（継続）除包時の振動動作の図を表す。一連の動作であるブロックでアルミ箔を破り、押出し板で錠剤を押し出しても、錠剤が取り出せない場合、図１５の除包動作を高速に変更し（変更機構）で繰り返し、ＰＴＰシートに振動を与える。振動を与えることで、アルミ箔に挟まれていた錠剤に振動が伝わり、挟まっている状態を解放させることができる。
図１２を説明する。
図１２は、リトライ除包時の除包動作と振動動作のフローチャートを表す。動作手順として、以下のような処理となる。
除包動作中、落下センサ２０４の入力を常に監視し、入力に変化があれば、落下カウンタ値を更新する。ただし、除包動作を開始する際の値は“０”とする。
ステップＳ１０１では、押出しユニットがＰＴＰシートまで下降するよう除包モータ２９０１の回転方向と回転量をセットする。
ステップＳ１０２では、除包モータ２９０１を動作させる。
ステップＳ１０３では、除包モータ２９０１の動作状態を取得する。
【００４７】
ステップＳ１０４では、Ｓ１０３で取得した除包モータ２９０１の状態より、除包モータ２９０１が停止していないかチェックし、動作が停止するまでＳ１０３の処理を実行する。
【００４８】
ステップＳ１０５では、Ｓ１０１〜Ｓ１０４の間、錠剤ホッパー内の落下センサ２０４入力回数が“１”以上であれば、Ｓ１０６へ、それ以外であれば、Ｓ１１１の処理へ移る。
ステップＳ１０６では、押出しユニットが初期位置まで上昇するよう除包モータ２９０１の回転方向をセットする。
【００４９】
ステップＳ１０７では、押出し板（内側押圧体）と押出しブロック（外側押圧体）を押出しユニットの待機位置となる初期位置センサ２８０がＯＮになるまで除包モータ２９０１を動作させる。
ステップＳ１０８では、初期位置センサ２８０１の状態を取得する。
【００５０】
ステップＳ１０９では、Ｓ１０８で取得した初期位置センサ２８０１の状態をチェックし、初期位置センサ２８０１がＯＮであれば、Ｓ１１０へ移り、ＯＦＦであれば、Ｓ１０８へ処理を遷移する。
ステップＳ１１０では、除包モータ２９０１を停止し、除包動作を終了する。
【００５１】
ステップＳ１１１では、振動回数をチェックし、設定された振動回数以下であれば、Ｓ１１２へ遷移する。それ以外であれば、押出しユニットを初期位置へ移動させる為、Ｓ１０６に遷移する。
【００５２】
ステップＳ１１２では、押出しユニットが下降するよう、除包モータ２９０１の回転方向と回転量をセットする。このときの回転量は振動動作の為、Ｓ１０１の回転量とは異なる。
ステップＳ１１３では、押出しユニットが設定位置に移動するまで除包モータ２９０１を動作させる。
ステップＳ１１４では、Ｓ１０３と同じ処理を行う。
【００５３】
ステップＳ１１５では、Ｓ１１４で取得した除包モータ２９０１の状態より、除包モータが停止していないかチェックし、動作が停止するまでＳ１１４の処理を継続する。
【００５４】
ステップＳ１１６では、Ｓ１０５と同様に、Ｓ１１１〜Ｓ１１６の間、落下センサ２０４の入力回数を落下カウンタにセットし、“１”以上であれば、Ｓ１０６へ、それ以外であれば、Ｓ１１７の処理へ移る。
【００５５】
ステップＳ１１７では、押出しユニットが上昇するよう、除包モータ２９０１の回転方向と処理を行う。Ｓ１１５と同様、振動動作の為、Ｓ１０６の設定値とは異なる。
ステップＳ１１８では、押出しユニットが設定位置に移動するまで除包モータ２９０１を動作させる。
ステップＳ１１９では、Ｓ１０３と同じ処理をおこなう。
【００５６】
ステップＳ１２０では、Ｓ１１９で取得した除包モータの状態より、除包モータ２９０１が停止していないかチェックし、動作が停止するまでＳ１１９の処理を実行する。
【００５７】
ステップＳ１２１では、Ｓ１０５と同様に、Ｓ１０５〜Ｓ１１６実行中の間、落下カウンタ値をチェックし、“１”以上であれば、Ｓ１０６へ、それ以外であれば、Ｓ１２２の処理へ移る。
ステップＳ１２２では、振動カウンタ値を１つインクリメントする。
図１３を説明する。
図１３は、リトライ除包時の除包位置（錠剤収容部から錠剤を取り出す位置）での錠剤シートの移動を示している。
【００５８】
振動動作実施後であってもいまだに除包できなかった場合、除包する錠剤ポケットの位置を前後方向に移動させる。除包位置を移動させることにより、錠剤の押し出される位置が変わる為、アルミ箔に挟まれて取り出せなかった錠剤も取り出せるようになる。ただし、除包が成功した場合、除包位置をＰＴＰシートポケットの中央へ移動させる。
【００５９】
６０１〜６０３では押出しユニットが錠剤を押し切った状態の為、このままでは押出しユニットがＰＴＰシートに引っかかり、錠剤を搬送することができない。その為、押出しユニットの押出し板とブロックを初期位置に配置し、ＰＴＰシートに接触しない状態にし、除包位置の移動を行う。
６０１は、図９と同じ動作後に錠剤が落下しなかった場合を示している。
【００６０】
６０１はＰＴＰシートが除包位置に到達し、ＰＴＰシートから錠剤を取り出す様子を示したものである。この動作で錠剤を取り出せた場合は、この６０１の動作のみを行い、次錠剤を取り出す動作に移行する。この動作で取り出せない場合（アルミ箔に挟まれてしまっている等）は６０２の動作に移行する。
【００６１】
６０２はＰＴＰシートのポケット上端を押している状態を示すものである。６０１でＰＴＰシートから錠剤を取り出せなかった場合、再度同じ所を押しても、アルミ箔等に挟まっていると取り出すことが難しい。この場合、押し出す位置を可変させることで、アルミ箔等の挟まりによる抵抗を減らすことができ、ＰＴＰシート（錠剤シート）から錠剤を取り出すことが可能となる。
この動作でも取り出せなかった場合は６０３の動作に移行する。
【００６２】
６０３はＰＴＰシートのポケット下端を押している状態を示すものである。６０２でもＰＴＰシートから錠剤を取り出せなかった場合、再度押し出す位置を可変させることで、アルミ箔等の挟まりによる抵抗を減らすことができる。この抵抗を減らすことで錠剤を押し出すことができる。
６０１は除包位置到達後、最初に除包する位置を表す。
６０２は奇数回目の除包動作のリトライ（再）除包を行う除包位置を表す。
６０３は偶数回目の除包動作のリトライ（再）除包を行う除包位置を表す。
図１４を説明する。
【００６３】
図１４は、リトライ除包時の除包位置（錠剤収容部から錠剤を取り出す位置）に錠剤シートを移動する、錠剤取出しユニット１が押し出し位置の変更を行う際のフローチャートを表す。
【００６４】
除包位置の移動処理１回目はＰＴＰシートポケット（錠剤収容部）の中央からＰＴＰシートポケットの手前側を除包するよう搬送カウンタの値をセットする。２回目以降はＰＴＰシートポケットの手前／奥側に移動する値を搬送カウンタにセットする。（※ここでセットする値は除包位置まで搬送する際にＰＴＰシートのポケットサイズを計測する処理を行っており、計測結果を用いる。）
ＰＴＰシートポケットの手前／奥側の決定はリトライ回数カウンタの値により決定し、除包が成功または移動回数の上限値を超えた場合、値を“０”にする。
【００６５】
ここで説明するリトライ回数は現在除包動作を行っている錠剤の除包失敗回数を表す。この移動中には、押出しユニットが錠剤に触れてしまい、錠剤の搬送に支障をきたさない為、初期位置に配置する。
【００６６】
ステップＳ２０１では、リトライ回数をチェックし、奇数回目なら、錠剤シートの進行方向奥側部分（図１３の６０２の状態）を除包する為にＳ２０２へ遷移する。偶数回目なら、錠剤シートの進行方向手前側部分（図１３の６０３の状態）を除包する為にＳ２１０へ処理を移す。
ステップＳ２０２では、ＰＴＰシート上の錠剤を移動させる距離をリトライ搬送カウンタへセットする。
ステップＳ２０３では、搬送モータの回転方向を錠剤シートが後退する方向になるようセットする。
ステップＳ２０４では、搬送モータを動作させ、錠剤シートを後退させる。（図１３の６０２の状態）
ステップＳ２０５では、リトライ搬送距離をデクリメントし、残り搬送距離を更新する。
ステップＳ２０６では、リトライ搬送距離をチェックし、指定距離移動が完了していればＳ２０７へ、そうでなければ、Ｓ２０４へ処理を移す。
ステップＳ２０７では、搬送モータを停止する。
ステップＳ２０８では、搬送モータの回転方向を通常の前進方向になるようセットする。
ステップＳ２０９では、リトライ回数をインクリメントする。
ステップＳ２１０では、Ｓ２０２と同様の処理を行う。
ステップＳ２１１では、搬送モータを動作させ、錠剤シートを前進させる。（図１３の６０３の状態）
ステップＳ２１２では、Ｓ２０５と同様の処理を行う。
ステップＳ２１３では、リトライ搬送距離をチェックし、指定距離移動が完了していればＳ２１４へ、そうでなければ、Ｓ２１１へ処理を移す。
図１５を説明する。
図１５は、通常除包時における、除包動作の状態をフローチャートにしたものである。
ステップＳ５０１では、錠剤が除包位置に到達しているかチェックする。
ステップＳ５０２では、押出しブロック８４を動作させる。
【００６７】
ステップＳ５０３では、押出しブロックを動作させ錠剤を押し出す力を利用しアルミ箔をやぶる。押出しブロックは錠剤を押し出す機能はなく、あくまでアルミ箔を破るために存在している。錠剤を押し出す前にアルミ箔を破っておかないと、アルミ箔の剥離や錠剤の割れ・欠けが顕著に表れる。ＰＴＰシートから一度の動作で錠剤を押し出そうとすると、ＰＴＰシート裏面のアルミ箔が抵抗となり、また、アルミ箔を破る動作と錠剤を押し出す動作を同時におこなわなければならず必要以上の力を要する為、上記のような不具合が発生する。
ステップＳ５０４では、押出し板８３を動作させる。
【００６８】
ステップＳ５０５では、押出し板を動作させ錠剤を取り出す。Ｓ５０３でアルミ箔を破っている為、錠剤に対する抵抗が軽減される。これにより、錠剤の割れ・欠けを防止することができる。
ステップＳ５０６では、錠剤シートを除包位置まで搬送する。
図１６はＰＴＰシートの錠剤収容部を検知する位置及び除包する位置を示した図である。
【００６９】
１０３が通過する側面に１１２を配置し、シートポケットの凹凸を検出する。この凹凸を検出することより、ポケットの幅寸法を割り出すことができる。この割り出した値をもとに１１４にシートポケットの中心位置がくるように移動させる。
５１はＰＴＰシートである。
１７は光学センサを表し、錠剤収容部の長さの計測に使用する。
３０１は光学センサ１７による錠剤（錠剤収容部）の検知位置を表し、錠剤収容部が通過（遮断）することで錠剤収容部の長さの計測を行う。
３００は除包位置（錠剤の取り出し位置）を表し、錠剤を取り出す除包動作を行う位置である。
図１７を説明する。
図１７は、光学センサ１７を用いて錠剤収容部の長さを測定するフローチャートを表す。
【００７０】
ここでは、通常除包時の錠剤シートの搬送（移動）距離およびステップＳ２０２、ステップＳ２１０のリトライ除包時の錠剤シートの搬送（移動）距離を算出する。
ステップＳ３０１では、錠剤シートを前方（進む）に搬送するために搬送モータを前進させる。
ステップＳ３０２では、光学センサ１７の状態を取得する。
【００７１】
ステップＳ３０３では、取得した光学センサの状態から、ＯＮ（錠剤収容部が遮断している）かを判断する。ＯＮであれば、ステップＳ３０４に遷移し、ＯＮでなければ、ステップＳ３０１に遷移する。
ステップＳ３０４では、錠剤収容部の位置を検出し。錠剤収容部の長さの測定を開始する。
ステップＳ３０５では、錠剤シートを前方（進む）に搬送するために搬送モータを前進させる。
ステップＳ３０６では、光学センサ１７の状態を取得する。
【００７２】
ステップＳ３０７では、取得した光学センサの状態から、ＯＦＦ（錠剤収容部が遮断していない）かを判断する。ＯＦＦであれば、ステップＳ３０８へ遷移する。ＯＦＦでなければ、ステップＳ３０４へ遷移する。
【００７３】
ステップＳ３０８では、錠剤収容部の長さの測定を終了する。ここで測定した錠剤収容部の位置に基づいて、検知位置から除包位置までの錠剤シートの搬送（移動）距離を算出する。
さらにここで測定した錠剤収容部の長さに基づいて、リトライ時（継続時）の錠剤シートの搬送距離（所定の距離）も算出する。
リトライ時の錠剤シートの搬送距離は錠剤収容部の長さの結果をもとに進行方向奥側と手前側それぞれの先端が除包位置となるように移動距離を算出する。
リトライ搬送距離は、計測した錠剤シートの半径と押し出し板先端部の半径との差分とする。  錠剤収容部の中心部を基準に算出したリトライ時の錠剤シートの搬送（移動）距離だけ前方（進む）と後方（戻る）へ錠剤シートを所定の距離だけ移動する。
図１８を説明する。
ＰＴＰシートは、間隔センサ感知部１７を通過することにより、センサ１７によってシートポケットの寸法を測定し、錠剤取り出し位置まで搬送される。  図１８は、本発明の実施形態における間隔センサ感知部１７のＰＴＰシート通過経路を示す図である。  
【００７４】
ＰＴＰシートの通過経路に微細な溝部１００２（０．６ｍｍ程度）を設けることにより上下方向から押さられ通過の際に反りが防止される。また、微細な溝部を間隔センサ感知部に設けることにより、ＰＴＰシートの反りが防止された状態でシートポケットの寸法測定を行える。
図１９を説明する。
なお、図１９、図２０、図２１、図２２、図２３、図２５、図２６で示した前方とは錠剤シートを投入口から除包位置に搬送する方向（進む）を意味し、後方とは錠剤シートを投入口から除包位置に搬送する逆方向（戻る）を意味する。
なお、図１９、図２０、図２１、図２２、図２３、図２５、図２６で示した左列とは錠剤シートを投入口から除包位置に搬送する方向（進む）を基準にした場合に、各々の錠剤シート列における左側の列を意味し、図で示した右列とは錠剤シートを投入口から除包位置に搬送する方向（進む）を基準にした場合に、各々の錠剤シート列における右側の列を意味する。
図１９は、錠剤取出しユニット１が錠剤シート５１から１包毎に除包動作を行う錠剤ポケット５２の順番を表す。
【００７５】
２７０１は、除包動作の順序を表す矢印である。例えば所定数が合計３錠の錠剤の取り出し要求があった場合、シート進行方向の奥側から順番に取り出し動作を行う。左列側の除包動作（１錠目）→右列側の除包動作（２錠目）→次の列へ錠剤シートの搬送→左列側へ除包動作（３錠目）の順番で錠剤の取り出し動作を行う。
【００７６】
万が一、途中で取り出し動作に失敗した場合、左側へ取り出し動作→右側へ取り出し動作→次の列へ搬送→左側へ取り出し動作→右側へ取り出し動作→次の列へ搬送→・・・・を繰り返し、所定数である３錠の錠剤の取り出しに成功するつまり錠剤センサ２０４が合計３個の錠剤を検知するまでこの動作を繰り返す。
図２０を説明する。
図２０は、錠剤取出しユニット１の除包モータ機構の内部構造を示したものである。
【００７７】
１１１１はシャフトである。シャフトには２つのカム９４、２つのカム９９、遮蔽板２８０２が、シャフトの回転軸に対して、予め設定された角度に固定されている。
除包モータによる駆動で回転軸が回動すると、シャフトに固定されている２つのカム９４、２つのカム９９、遮蔽板２８０２も連動して回動する、
【００７８】
また、左列除包時と右列除包時において初期位置を共有するために、予め設定された角度に固定されている２つのカム９４が回転軸に対してなす角度の中間点に除包動作の初期位置が設定されている。換言すると除包動作の初期位置になる除包モータの基準角度（例えば０°）から等しい角度（例えば４５°）でありかつ除包モータ２９０１が回転する向きが真逆の位置に左列用カム９４と右列用カム９４がそれぞれ固定されている。おなじように除包モータの基準角度（例えば０°）から等しい角度（例えば１３５°）でありかつ除包モータが回転する向きが真逆の位置に左列用カム９９と右列用カム９９がそれぞれ固定されている。
【００７９】
２８０１は、初期位置センサである。このセンサは光学センサであり、物体が光を遮断しているか否かで、ＯＮ／ＯＦＦを検知する。初期位置センサの入力がＯＮの場合、カムが初期位置に到達している判断する。
【００８０】
初期位置センサは、錠剤取出しユニット１に対して左列除包時の初期位置３５０と右列除包時の初期位置３８０を共通にするため１つのみ配置されている。左列除包時と右列除包時において、除包モータが基準とする角度を共通にするためである。
【００８１】
１つの初期位置センサ２８０１を共通にできるので、この基準角度を起点として、左列除包時と右列除包時において、それぞれ異なる方向（前転または後転）に回転を開始するだけで、錠剤を１個ずつ左右で取り出すことが可能となり、初期位置を左列除包用と右列除包用で個別に管理する必要がなく、除包動作の制御を簡単にすることが出来るという格別の効果を奏する。さらに１つの初期位置センサ２８０１を共通にすることで高額な除包モータ２９０１の機構も共有できるので、錠剤取出しユニット１の製造コストを低減させることができる。
【００８２】
２８０２は、初期位置センサをＯＮ／ＯＦＦさせるための遮光板であり、シャフト１１１１の先端に固定されている。この遮光板が初期位置センサの光を遮断している時にＯＮ状態（シャフトの回転角度が基準角度にある）となる。
【００８３】
２９０１は、除包モータである。除包モータを回転させることにより、シャフト１１１１が連動して回転し、シャフト１１１１に固定されているブロック用カム及び押し出し板用カムの回転角度を制御することができる。
２９０２は、除包モータ用プーリである。
【００８４】
２９０３は、シャフト用プーリであり、除包モータ用プーリとベルトで繋がっている。シャフト用プーリとカムの回転軸（シャフト）もつながっており、除包モータ用プーリの回転、シャフト用プーリの回転、カムの回転の全てを除包モータ２９０１の回転にて制御している。
図２１を説明する。
左列の除包動作（通常時）を行う場合には、図２１に示したように３５０→３６０→３７０→３６０→３５０の順番で除包動作する。
３５０は、左列の除包動作を行う場合におけるカム９４の初期位置を示している。
【００８５】
３６０は、左列のブロック８４の最下点であり、３５０の状態からシャフト１１１１が後転の向きに回転し、カム９４が第１昇降体９３を押圧することで、ブロック８４が下降し、ブロック８４が最下点に到達した状態を示している。除包モータ２９０１が回転することで、カム９４が回転し、ブロック８４が押出し板８３より先に下降する。ブロック８４が下降を開始し、ブロック８４の最下点に到達するまでの間、ブロック８４がポケットのアルミ箔を破る。
【００８６】
３７０は、左列の押出し板８３の最下点であり、３６０の状態からシャフト１１１１が後転の向きに回転し、カム９９が第２昇降体９８を押圧することで、押出し板８３が下降し、押出し板８３が最下点に到達した状態を示している。押出し板８３がポケット５２を押すことで錠剤を取り出す。
【００８７】
３６０は、ブロック８４の最下点であり、３７０の状態からシャフト１１１１が前転の向きに反転し、カム９４が第１昇降体９３を押圧することで、ブロック８４が下降し、ブロック８４が最下点に到達した状態を示している。
３５０は、左列の除包動作を行う場合におけるカム９４の終了位置を示している。
【００８８】
ここで初期位置センサ２８０１がＯＮになることで、３５０の状態（初期位置）に戻ったと判断し除包モータ２９０１の回転を停止することで、押し出し板用カム９９とブロック用カム９４の回転が停止する。
図２２を説明する。
右列の除包動作（通常時）を行う場合には、図２２に示したように３８０→３９０→４００→３９０→３８０の順番で除包動作する。
３８０は、右列の除包動作を行う場合におけるカム９４の初期位置を示している。
【００８９】
３９０は、右列のブロック８４の最下点であり、３８０の状態からシャフト１１１１が前転の向きに回転し、カム９４が第１昇降体９３を押圧することで、ブロック８４が下降し、ブロック８４が最下点に到達した状態を示している。
【００９０】
４００は、右列の押出し板８３の最下点であり、３９０の状態からシャフト１１１１が前転の向きに回転し、カム９９が第２昇降体９８を押圧することで、押出し板８３が下降し、押出し板８３が最下点に到達した状態を示している。
【００９１】
３９０は、ブロック８４の最下点であり、４００の状態からシャフト１１１１が後転の向きに反転し、カム９４が第１昇降体９３を押圧することで、ブロック８４が下降し、ブロック８４が最下点に到達した状態を示している。
３８０は、右列の除包動作を行う場合におけるカム９４の終了位置を示している。
【００９２】
ここで初期位置センサ２８０１がＯＮになることで、３８０の状態（初期位置）に戻ったと判断し除包モータ２９０１の回転を停止することで、押し出し板用カム９９とブロック用カム９４の回転が停止する。
図２３を説明する。
【００９３】
左列の除包動作（リトライ時）を行う場合には、図２３に示したように振動３回に設定されている場合には、３５０→３６０→３７０→３６０→３７０→３６０→３７０→３６０→３７０→３６０→３５０の順番に動作し、ブロックと押し出し板での振動を設定回数繰り返す。
【００９４】
同様に、右列の除包動作（リトライ時）を行う場合には、振動３回に設定されている場合には、３８０→３９０→４００→３９０→４００→３９０→４００→３９０→４００→３９０→３８０の順番に動作し、ブロックと押し出し板での振動を設定回数繰り返す。
【００９５】
このように左列のリトライ時の除包動作の途中では３６０→３７０が設定回数（例えば３回）繰り返されるが、カムを通常時の除包動作よりも短い角度で高速に回転させている。この時ブロックと押し出し板が高速で交互に押圧動作しているので、ＰＴＰシート５１に振動が加わり、アルミ箔に引っ掛かっている錠剤の落下を促進することができる。この動作を振動動作とする。
図２４を説明する。
図２４は錠剤取出しユニット１が除包処理を行う際の全体の処理ステップである。  
【００９６】
Ｓ６０１では、光学センサ２０４が錠剤取出しユニット１毎に検知した総合計の錠剤数のカウント更新データを記憶部にデータ管理することで、錠剤供給装置１０または薬剤包装装置５は、所定数（錠剤取出しユニット１に指定された錠剤数）の除包動作が完了したかいなかを判断する。完了していないと判断した場合にはＳ６０２に進む。完了したと判断した場合には除包処理を終了し、ＰＴＰシートを排出ユニットに排出する。  
【００９７】
Ｓ６０２では、錠剤取出しユニット１が、まで左列右列同時に前進移動するために除包位置３００まで、図１７のＳ３０８で算出した錠剤ポケット間隔の１列分だけＰＴＰシート搬送を行う際の処理ステップである。  
【００９８】
Ｓ６０３では、錠剤取出しユニット１が左列の除包動作（通常時）を行う際の処理ステップである。この動作はＰＴＰシートから１錠毎の錠剤を取り出すために必ず行うものである。図２１で説明したような除包動作を実行することから通常除包と定義する。当該処理ステップにおける詳細な各ハードウエアの制御は図１５のフローチャートで説明する。図１５のフローチャートに従って除包動作した後にＳ６０４に進む。  
【００９９】
Ｓ６０４では、錠剤供給装置１０または薬剤包装装置５は、Ｓ６０３の結果により、１個の錠剤を光学センサ２０４が検知（取り出し成功）できたかいなかを判断する。所定の時間内に錠剤ポケット５２から錠剤５０の取り出しが成功したと判断した場合には、錠剤取出しユニット１において取り出された錠剤数の合計を管理するカウント更新データを１個分インクリメントし、Ｓ６０８に進む。所定の時間内に取り出しが成功しないと判断した場合にはＳ６０５に進む。  
【０１００】
Ｓ６０５では、錠剤取出しユニット１が左列の除包動作（リトライ時）を行う際の処理ステップである。この動作は図２１で説明した通常時の除包動作を行ってもなお錠剤５０の取り出しが成功しなかった場合に行うものである。除包位置において図２３で説明したリトライ時の除包動作を再度実行することからリトライ除包と定義する。当該処理ステップにおける詳細な各ハードウエアの制御は図１５のフローチャートのＳ１１１〜Ｓ１２２で説明する。図１５のフローチャートのＳ１１１〜Ｓ１２２に従ってリトライ除包した後にＳ６０６に進む。  
【０１０１】
Ｓ６０６では、錠剤供給装置１０または薬剤包装装置５は、Ｓ６０５の結果により、１個の錠剤を光学センサ２０４が検知（取り出し成功）できたかいなかを判断する。所定の時間内に錠剤ポケット５２から錠剤５０の取り出しが成功したと判断した場合には、錠剤取出しユニット１において取り出された錠剤数の合計を管理するカウント更新データを１個分インクリメントし、Ｓ６０８に進む。所定の時間内に取り出しが成功しないと判断した場合にはＳ６０７に進む。  
【０１０２】
Ｓ６０７では、錠剤取出しユニット１が押し出し位置の変更を行う際の処理ステップである。この動作は図２３で説明したリトライ時の振動動作を指定回数行ってもなお錠剤５０の取り出しが成功しなかった場合に行うものである。異なる除包位置にＰＴＰシート５１を移動した後に図２３で説明したリトライ時の除包動作を再度実行することからリトライ搬送と定義する。当該処理ステップにおける詳細な各ハードウエアの制御は図１４のフローチャートで説明する。図１４のフローチャートに従ってＰＴＰシート５１を異なる除包位置（前進または後退）に搬送移動した後にＳ６０５に進む。  
【０１０３】
Ｓ６０８では、光学センサ２０４が錠剤取出しユニット１毎に検知した総合計の錠剤数のカウント更新データを記憶部にて管理することで、錠剤供給装置１０または薬剤包装装置５は、所定数（錠剤取出しユニット１に指定された錠剤数）と比較しての除包動作が完了したかいなかを判断する。完了していないと判断した場合にはＳ６０９に進む。完了したと判断した場合には除包処理を終了し、ＰＴＰシートを排出ユニットに排出する。  
【０１０４】
Ｓ６０９では、錠剤取出しユニット１が右列の除包動作（通常時）を行う際の処理ステップである。この動作はＰＴＰシートから１錠毎の錠剤を取り出すために必ず行うものである。図２２で説明したような除包動作を実行することから通常除包と定義する。当該処理ステップにおける詳細な各ハードウエアの制御は図１５のフローチャートで説明する。図１５のフローチャートに従って除包動作した後にＳ６１０に進む。  
【０１０５】
Ｓ６１０では、錠剤供給装置１０または薬剤包装装置５は、Ｓ６０９の結果により、１個の錠剤を光学センサ２０４が検知（取り出し成功）できたかいなかを判断する。所定の時間内に錠剤ポケット５２から錠剤５０の取り出しが成功したと判断した場合には、錠剤取出しユニット１において取り出された錠剤数の合計を管理するカウント更新データを１個分インクリメントし、Ｓ６０１に進む。所定の時間内に取り出しが成功しないと判断した場合にはＳ６１１に進む。  
【０１０６】
Ｓ６１１では、錠剤取出しユニット１が右列の除包動作（リトライ時）を行う際の処理ステップである。この動作は通常時の除包動作を行ってもなお錠剤５０の取り出しが成功しなかった場合に行うものである。除包位置においてリトライ時の除包動作を再度実行することからリトライ除包と定義する。当該処理ステップにおける詳細な各ハードウエアの制御は図１５のフローチャートのＳ１１１〜Ｓ１２２で説明する。図１５のフローチャートのＳ１１１〜Ｓ１２２に従ってリトライ除包した後にＳ６１２に進む。  
【０１０７】
Ｓ６１２では、錠剤供給装置１０または薬剤包装装置５は、Ｓ６１１の結果により、１個の錠剤を光学センサ２０４が検知（取り出し成功）できたかいなかを判断する。所定の時間内に錠剤ポケット５２から錠剤５０の取り出しが成功したと判断した場合には、錠剤取出しユニット１において取り出された錠剤数の合計を管理するカウント更新データを１個分インクリメントし、Ｓ６０１に進む。所定の時間内に取り出しが成功しないと判断した場合にはＳ６１３に進む。  
【０１０８】
Ｓ６１３では、錠剤取出しユニット１が押し出し位置の変更を行う際の処理ステップである。この動作は図２３で説明したリトライ時の振動動作を指定回数行ってもなお錠剤５０の取り出しが成功しなかった場合に行うものである。異なる除包位置にＰＴＰシート５１を移動した後に図２３で説明したリトライ時の除包動作を再度実行することからリトライ搬送と定義する。当該処理ステップにおける詳細な各ハードウエアの制御は図１４のフローチャートで説明する。図１４のフローチャートに従ってＰＴＰシート５１を異なる除包位置（前進または後退）に搬送移動した後にＳ６１１に進む。
図２５を説明する。
図２５は、錠剤取出ユニット１の内部構造を示す断面図である。  錠剤シート５１の搬送について説明する。  
【０１０９】
１５０１は下部ローラ（第１の搬送機構）であり、投入口２０３に載置されている錠剤シート５１を１枚ごとにシート搬送する。下部ローラを回転させた摩擦力により錠剤シート５１を投入口（シート投入位置）から重送防止部１５０２の奥側である前方に送出するものである。  
【０１１０】
３９は、下部ローラ（第２の搬送機構）であり、下部ローラを回転させた摩擦力により重送防止部１５０２の隙間を通過した錠剤シート５１を除包位置まで搬送するものである。
【０１１１】
１７は、光学センサ（第１の検知機構）であり、隙間から排出された錠剤シート５１の到達を、重送防止部１５０２よりも離れた位置にて検知している。つまり、重送防止部１５０２のよりも離れた位置（検知位置）で錠剤収容部があるかいなかを検知しているので、隙間から排出された１枚の錠剤シートの到達の成否を検知することができる。
除包位置で全てのポケットが除包されたＰＴＰシートは、ＰＴＰシート排出路を通して、排出路に導通しているＰＴＰシート回収ＢＯＸに集積される。
図２６を説明する。
図２６は、錠剤取出ユニット１の内部構造を示す傾斜図である。
１４０１は重送防止板であり、複数枚積まれたＰＴＰシートの上部を重送防止部１５０２の奥側（前方）に搬送しないようブロックする為の板である。
図２７を説明する。
次に、図２７および図２８を用いて、錠剤シート５１が歪曲している場合に、重送防止部１５０２に引っかかってしまう例を説明する。
【０１１２】
なお、重送防止部１５０２は、錠剤シートが投入される投入口に設けられ、除包位置に搬送したい１枚の錠剤シートだけを搬送するために、１枚の錠剤シートだけ隙間を通過させて搬送するものである。
搬送ローラ１５０１の矢印は、錠剤シート５１を重送防止部１５０２の奥側である前方に搬送するための回転方向を示している。
【０１１３】
重送防止部１５０２は、搬送路との隙間を狭くし、複数枚の錠剤シート５１が同時に搬送しないようにするための物である。重送防止部の下部とシート搬送路との間には、投入口から複数枚のシート送出を防止するために、１枚ごとに錠剤シートが排出されるべき高さの隙間が形成されている。
【０１１４】
さらに重送防止部の左右とシート搬送路との間には、１枚ごとに錠剤収容部（２列）が重送防止部を通過できるような高さの空間も形成されている。重送防止部は通過する錠剤収容部（２列）の中間の位置に配置されている。
【０１１５】
投入口２０３にセットされた錠剤シート５１は、下部ローラ１５０１の上にあり、ローラ１５０１を回転させると重送防止部１５０２の方向に一枚ずつ搬送される。その際に、特に錠剤シート５１の耳部の歪曲や耳部が持ち上がっていたりすると、反りあがったシートの先頭が重送防止部１５０２に衝突するので、下部ローラ１５０１がシート搬送を継続しても摩擦力（グリップ力）が低下し、下部ローラが、錠剤シートの搬送面を滑り出すので、重送防止部１５０２の方向に前進させる力も弱まり、隙間をうまく通過することができなくなる。
図２９を説明する。
図２９は、光学センサ１７を用いた投入口２０３からの錠剤シートの排出ミスを検出するためのフローチャートを表す。
【０１１６】
図２９に示すフローチャートの各ステップの処理は、錠剤供給装置１０のＣＰＵにより実行される。図２９は、錠剤供給装置１０が分包装置５からの錠剤取り出し動作開始命令を受信すると実行される。錠剤供給装置は、分包装置から錠剤取り出し動作命令を受信すると、錠剤取り出し動作命令に含まれる設定データをメモリに記憶し、指定された錠剤取出ユニット１がシート搬送動作を開始する。
ステップＳ２９０１で錠剤供給装置１０は、図示しないＰＴＰシート幅検出センサにより、投入口にセットされているＰＴＰシートの幅を測定する。
【０１１７】
ここでは、ＰＴＰシート幅検出センサによる測定結果に従って、ＰＴＰシートが投入口にセットされているか否かを判断している。ＰＴＰシートが投入口にセットされていると判断した場合には、Ｓ２９０２に進み、投入口にセットされているＰＴＰシートを、ローラ１５０１を回転させることで錠剤を取り出す位置の方向（除包位置方向）に搬送すると投入口にセットされている最下位のＰＴＰシートだけが搬送されることにより、投入口に積み重なってセットされていた上方のＰＴＰシートが、投入口の下方に順次落ちてくる。
【０１１８】
このように、１枚のシート搬送毎に毎回、ＰＴＰシート幅検出センサよりＰＴＰシート幅を測定しているので、１枚のシート搬送毎に投入口の下方に落ちてくるＰＴＰシートを検出できたか否かを判定することにより、Ｓ２９０２で搬送されるＰＴＰシートが、投入口にセットされた複数枚のＰＴＰシートの中で、投入口に残る最後のＰＴＰシートであるかも判断することもができる。
【０１１９】
ステップＳ２９０２で錠剤供給装置１０は、下部ローラ１５０１を回転させることで、投入口の最も下位に載置されている錠剤シート１枚のみが重送防止部の方向に前進するようにシート搬送を開始する。
ステップＳ２９０３で錠剤供給装置１０はポケット位置センサ１７により、ポケット（錠剤収容部）の検出を行う。
【０１２０】
ステップＳ２９０４で錠剤供給装置１０は、ポケット位置センサ１７に錠剤シート１枚が到達するまでの十分な時間が経過するまで（所定時間内）に、ポケットが検出されたか否かを判断する。ここで、投入口２０３からポケット位置センサ１７までシートが到達する十分な時間は予め設定され、メモリ（記憶部）に記憶されている。
【０１２１】
Ｓ２９０４においてポケットが検出できないと判断された場合には（いいえ）、処理をＳ２９０６に移行する。また、Ｓ２９０４においてポケットが検出できたと判断された場合には（はい）、処理をＳ２９０５に移行する。
【０１２２】
ステップＳ２９０５で錠剤供給装置１０は、ポケットが検出されたと判定された場合には（ＹＥＳ）、ポケット位置センサ１７により検出されたポケットの位置から所定の距離（除包位置までの距離）だけ、ローラ３９を回転させることでＰＴＰシートを錠剤を取り出す位置の方向（除包位置方向）にさらに搬送する。その後、図１５にて説明した除包動作のフローチャートに進む。
【０１２３】
ステップＳ２９０６で錠剤供給装置１０は、搬送すべき最下位のＰＴＰシートが重送防止部により塞き止められることで正常にシート搬送されていないと判断し、シート搬送のエラー状態として、一時待機するために下部ローラ１５０１の回転によるシート搬送を停止する。
【０１２４】
ステップＳ２９０７で錠剤供給装置１０は、再開指示（リスタート指示）を受付けたか否かを判断し、再開指示を受付けたと判定された場合には（ＹＥＳ）、処理をＳ２９０２に戻してシート搬送を再開する。
図３０を説明する。
図３０は、光学センサ１７を用いた投入口２０３からの錠剤シートの排出ミスをするリカバリするためのフローチャートを表す。
【０１２５】
図３０に示すフローチャートの各ステップの処理は、錠剤供給装置１０のＣＰＵにより実行される。図３０は、錠剤供給装置１０が分包装置５からの錠剤取り出し動作開始命令を受信すると実行される。錠剤供給装置は、分包装置から錠剤取り出し動作命令を受信すると、錠剤取り出し動作命令に含まれる設定データをメモリに記憶し、指定された錠剤取出ユニット１がシート搬送動作を開始する。
ステップＳ３００１で錠剤供給装置１０は、図示しないＰＴＰシート幅検出センサにより、投入口にセットされているＰＴＰシートの幅を測定する。
【０１２６】
ここでは、ＰＴＰシート幅検出センサによる測定結果に従って、ＰＴＰシートが投入口にセットされているか否かを判断している。ＰＴＰシートが投入口にセットされていると判断した場合には、Ｓ３００２に進み、投入口にセットされているＰＴＰシートを、ローラ１５０１を回転させることで錠剤を取り出す位置の方向（除包位置方向）に搬送すると投入口にセットされている最下位のＰＴＰシートだけが搬送されることにより、投入口に積み重なってセットされていた上方のＰＴＰシートが、投入口の下方に順次落ちてくる。
【０１２７】
このように、１枚のシート搬送毎に毎回、ＰＴＰシート幅検出センサよりＰＴＰシート幅を測定しているので、１枚のシート搬送毎に投入口の下方に落ちてくるＰＴＰシートを検出できたか否かを判定することにより、Ｓ３００２で搬送されるＰＴＰシートが、投入口にセットされた複数枚のＰＴＰシートの中で、投入口に残る最後のＰＴＰシートであるかも判断することもができる。
【０１２８】
ステップＳ３００２で錠剤供給装置１０は、下部ローラ１５０１を回転させることで、投入口の最も下位に載置されている錠剤シート１枚のみが重送防止部の方向に前進するようにシート搬送を開始する。
ステップＳ３００３で錠剤供給装置１０はポケット位置センサ１７により、ポケット（錠剤収容部）の検出を行う。
【０１２９】
ステップＳ３００４で錠剤供給装置１０は、ポケット位置センサ１７に錠剤シート１枚が到達するまでの十分な時間が経過するまで（所定時間内）に、ポケットが検出されたか否かを判断する。ここで、投入口２０３からポケット位置センサ１７までシートが到達する十分な時間は予め設定され、メモリ（記憶部）に記憶されている。
【０１３０】
Ｓ３００４においてポケットが検出できないと判断された場合には（いいえ）、処理をＳ３００６に移行する。また、Ｓ３００４においてポケットが検出できたと判断された場合には（はい）、処理をＳ３００５に移行する。
【０１３１】
ステップＳ３００５で錠剤供給装置１０はシート搬送の開始以降の所定時間内に光学センサ１７が到達を検知できた場合（成功）に対して、下部ローラ１５０１は投入口２０３に載置されている錠剤シートを、重送防止部の奥側の位置までの搬送を引き続き継続することで、隙間を通過した錠剤シートの奥側の位置までの搬送が完了するように下部ローラ１５０１を制御する（搬送制御手段）。
【０１３２】
ポケットが検出されたと判定された場合には（ＹＥＳ）、ポケット位置センサ１７により検出されたポケットの位置から所定の距離（除包位置までの距離）だけ、ローラ３９を回転させることでＰＴＰシートを錠剤を取り出す位置の方向（除包位置方向）にさらに搬送する。その後、図１５にて説明した除包動作のフローチャートに進む。
ステップＳ３００６で錠剤供給装置１０は、所定回数だけリトライ搬送動作を繰り返すために、搬送リトライ回数が規定回数に達したかいなかを判断する。
【０１３３】
メモリに格納されている搬送リトライ回数が規定回数に達したと判断された場合（いいえ）には処理をＳ３００９に移行する。また搬送リトライ回数が規定回数に達していないと判断された場合（はい）には処理をＳ３００７に移行する。
【０１３４】
ステップＳ３００７で錠剤供給装置１０はシート搬送の開始以降の所定時間内に光学センサ１７が到達を検知できなかった場合（失敗）に対して、下部ローラ１５０１がシート搬送を一時停止してから、ステップＳ３００２に戻り自動で再開（搬送開始）するように下部ローラ１５０１を制御している（搬送制御手段）。
【０１３５】
つまりメモリに格納されている搬送リトライ回数が規定回数（例えば５回）未満であると判定された場合（ＹＥＳ）は、シート搬送をここで一時停止させてから、Ｓ３００２に戻りシート搬送を再開する。このとき、搬送を一時停止する。一般的に接触面では動摩擦力よりも静止摩擦力の方が摩擦力が大きくなるので、シート搬送を強制的に一時停止させることで、下部ローラ１５０１とＰＴＰシート５１との接触面に働く摩擦係数が回復し、ＰＴＰシートの搬送に成功する可能性を高くすることができる。
【０１３６】
ステップＳ３００８で錠剤供給装置１０はステップＳ３００２に戻って搬送制御手段により自動で再開するように下部ローラ１５０１を制御させるまえに、下部ローラ１５０１の上で一時停止する錠剤シートの物理的な位置を変動させる目的で、下部ローラ１５０１によるシート搬送が一時停止した錠剤シート５１に微弱な振動を与える（振動手段）。
【０１３７】
一時停止の後に、ＰＴＰシートへ振動を与えることでシート投入口に積まれたＰＴＰシートの重なりのバランスを崩すことができる。バランスが崩れ、物理的な位置が変動した後にＰＴＰシートの搬送を再開させることで、これまで先頭が引っ掛かっていたＰＴＰシートがうまく隙間を通過できる可能性が高まる。
【０１３８】
ＰＴＰシートに微弱な振動を与える具体的な手段としては、まずシート搬送において下部ローラ１５０１を回転させるステッピングモータをマイクロ（微小）ステップモードで使用する。
次に、モータ回転の一時停止後に、さらにステッピングモータへの電流供給も遮断し、モータの回転開始前に電流供給を再開すればよい。
【０１３９】
まず、ステッピングモータをマイクロステップモードで使用した場合、１ステップで動く回転角度は、通常のステップモードで回転する角度よりも小さいので、モータを滑らか（小刻み）に回転させることができる。
【０１４０】
例えば、通常のステップモードでは２００ステップでステッピングモータが１回転し、マイクロステップモードでは８００ステップで１回転するので、通常のステップモードと比べて停止できる箇所が多い。
【０１４１】
マイクロステップモードで使用していると、ステッピングモータは、モータへの電流供給を再開する際に現在停止している箇所が通常のステップモードで停止するべき箇所から外れている（異なる）場合は、最も近くの通常のステップモードで停止するべき箇所まで自動で戻る性質がある。
【０１４２】
つまり、下部ローラ１５０１を駆動させる電源供給も一旦停止してから再供給することでも、下部ローラ１５０１が搬送を再開する位置が変更するので、一時停止する錠剤シートの位置を変動させることができ、微小な振動と同じような効果をえることができる。
このようなステッピングモータの動作性質を利用してもＰＴＰシートに微小な振動を与えることができる。
【０１４３】
これはは、シート搬送動作を一時停止後にステッピングモータへの電流供給をカットし、シート搬送の再開時にステッピングモータへ電流供給することで実施することができる。
【０１４４】
また、少なくともシート搬送する向きと反対の向きに、下部ローラ１５０１が一時停止する錠剤シートを逆搬送するだけでも、一時停止する錠剤シートの位置を変動させることができ、微小な振動と同じような効果をえることができる。
また、ＰＴＰシートへ微小な振動を与える別の方法として、下部ローラ１５０１が所定の距離だけ正回転・逆回転（反対の向き）を繰り返してもよい。
【０１４５】
ステップＳ３００９で錠剤供給装置１０は下部ローラ１５０１によるシート搬送を一時停止してから自動で再開するような下部ローラ１５０１への制御を所定回数（５回）繰り返したあとには、シート搬送をあきらめて完全停止する（エラー停止手段）。
【０１４６】
つまり搬送すべき最下位のＰＴＰシートが重送防止部により塞き止められることで、正常にシート搬送することが出来ないと判断し、シート搬送のエラー状態として、一時待機するために下部ローラ１５０１の回転によるシート搬送を完全に停止する。
【０１４７】
ステップＳ３０１０で錠剤供給装置１０は、使用者の操作により、再開指示（リスタート指示）を受け付けたか否かを判断し、再開指示を受け付けたと判定された場合には（ＹＥＳ）、処理をＳ３００２に戻してシート搬送を再開する。
【０１４８】
上述した本発明の実施形態を構成する各手段及び各ステップは、コンピュータのＲＡＭやＲＯＭ等に記憶されたプログラムが動作することによって実現できる。装置（またはユニット）が読み取り実行可能なこのプログラム及びプログラムを記録したコンピュータが読み取り可能な記録媒体は本発明に含まれる。
【０１４９】
また、本発明は、例えば、システム、装置、方法、プログラムもしくは記録媒体等としての実施形態も可能であり、具体的には、一又は複数の機器からなる装置に適用してもよい。
【０１５０】
なお、本発明は、上述した実施形態の機能を実現するソフトウェアのプログラムを、システム又は装置に直接、又は遠隔から供給する。そして、そのシステム又は装置のコンピュータが供給されたプログラムコードを読み出して実行することによっても達成される場合を含む。
【０１５１】
従って、本発明の機能処理をコンピュータで実現するために、コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【０１５２】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【０１５３】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【符号の説明】
【０１５４】
１      錠剤取出しユニット（錠剤シート搬送ユニット）
５      薬剤包装装置
１０    錠剤供給装置
１７    錠剤シート検出機構（第１の検知機構）
１８    載置台
５０    錠剤
５１    錠剤シート（ＰＴＰシート）
５２    錠剤収容部（シートポケット）
５５    封止シート（アルミ箔）
８３    内側押圧体（押し出し板）
８４    外側押圧体（ブロック）
９８    第２昇降体（押し出し板用）
９３    第１昇降体（ブロック用）
９９    カム（押し出し板用）
９４    カム（ブロック用）
３９    錠剤シート搬送機構（第２の搬送機構）
２４    導入シュート（ホッパ）
２０３  錠剤シート投入口
２０４  錠剤検知機構（第２の検知機構）
３００  除包位置
３０１  検出位置
４００  錠剤供給ユニット
７０１  包装ユニット
１５０１  錠剤シート搬送機構（第１の搬送機構）
１５０２  重送防止部
【図１】
2014136039.tif 000003
【図２】
2014136039.tif 000004
【図３】
2014136039.tif 000005
【図４】
2014136039.tif 000006
【図５】
2014136039.tif 000007
【図６】
2014136039.tif 000008
【図７】
2014136039.tif 000009
【図８】
2014136039.tif 000010
【図９】
2014136039.tif 000011
【図１０】
2014136039.tif 000012
【図１１】
2014136039.tif 000013
【図１２】
2014136039.tif 000014
【図１３】
2014136039.tif 000015
【図１４】
2014136039.tif 000016
【図１５】
2014136039.tif 000017
【図１６】
2014136039.tif 000018
【図１７】
2014136039.tif 000019
【図１８】
2014136039.tif 000020
【図１９】
2014136039.tif 000021
【図２０】
2014136039.tif 000022
【図２１】
2014136039.tif 000023
【図２２】
2014136039.tif 000024
【図２３】
2014136039.tif 000025
【図２４】
2014136039.tif 000026
【図２５】
2014136039.tif 000027
【図２６】
2014136039.tif 000028
【図２７】
2014136039.tif 000029
【図２８】
2014136039.tif 000030
【図２９】
2014136039.tif 000031
【図３０】
2014136039.tif 000032
【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
複数の錠剤シートを載置可能な投入部から錠剤シートの錠剤を取り出す錠剤取出位置に、錠剤シートを搬送する搬送動作を行うための搬送機構と、
前記搬送機構で搬送される錠剤シートの重力方向下側に位置する錠剤シート保持面に対して、１枚の錠剤シートが通過可能な隙間を設けて位置する重送防止部と、
前記重送防止部よりも錠剤シートの搬送方向下流側に設けられ、錠剤シートの通過を検知する検知機構と、
前記搬送動作を開始後、前記検知機構により錠剤シートの通過を検知できなかった場合に、前記搬送動作を所定時間停止した後再開するように前記搬送機構を制御する制御手段と、
を有することを特徴とする錠剤シート搬送ユニット。
【請求項２】
前記制御手段は、前記搬送動作を停止期間中に前記搬送手段で搬送しようとする錠剤シートが振動するように制御することを特徴とする請求項１に記載の錠剤シート搬送ユニット。
【請求項３】
前記搬送機構はステッピングモータであり、
前記制御手段は、前記ステッピングモータへの電流供給の遮断と再開により前記搬送手段で搬送しようとする錠剤シートが振動するように制御することを特徴とする請求項２に記載の錠剤シート搬送ユニット。
【請求項４】
前記制御手段は、前記搬送手段に前記搬送方向への搬送と、前記搬送方向と逆方向への搬送とを行わせることで前記搬送手段で搬送しようとする錠剤シートが振動するように制御することを特徴とする請求項２に記載の錠剤シート搬送ユニット。
【請求項５】
前記制御手段は、前記搬送動作の停止と再開とを所定回数繰り返しても、前記検知機構により錠剤シートの通過を検知できなかった場合には、前記搬送動作を中止するように制御することを特徴とする請求項１乃至請求項４の何れか１項に記載の錠剤シート搬送ユニット。
【請求項６】
錠剤シートは、錠剤を収容する複数の錠剤収容部と当該複数の錠剤収容部を封止する封止シールとを有しており、
前記投入部には、前記封止シールを重力方向下側にした状態で錠剤シートが投入されることを特徴とする請求項１乃至５の何れか1項に記載の錠剤シート搬送ユニット。
【請求項７】
前記制御手段は、前記検知機構により錠剤シートの通過を検知した場合には、前記取出位置にまで錠剤シートが搬送されるように制御することを特徴とする請求項１乃至６の何れか１項に記載の錠剤シート搬送ユニット。
【請求項８】
複数の錠剤シートを載置可能な投入部から錠剤シートの錠剤を取り出す錠剤取出位置に、錠剤シートを搬送する搬送動作を行うための搬送機構と、前記搬送機構で搬送される錠剤シートの重力方向下側に位置する錠剤シート保持面に対して、１枚の錠剤シートが通過可能な隙間を設けて位置する重送防止部と、前記重送防止部よりも錠剤シートの搬送方向下流側に設けられ、錠剤シートの通過を検知する検知機構と、を有する錠剤シート搬送ユニットの制御方法であって、
前記搬送動作を開始後、前記検知機構により錠剤シートの通過を検知できなかった場合に、前記搬送動作を所定時間停止した後再開するように前記搬送機構を制御する制御工程を有することを特徴とする制御方法。
【請求項９】
複数の錠剤シートを載置可能な投入部から錠剤シートの錠剤を取り出す錠剤取出位置に、錠剤シートを搬送する搬送動作を行うための搬送機構と、前記搬送機構で搬送される錠剤シートの重力方向下側に位置する錠剤シート保持面に対して、１枚の錠剤シートが通過可能な隙間を設けて位置する重送防止部と、前記重送防止部よりも錠剤シートの搬送方向下流側に設けられ、錠剤シートの通過を検知する検知機構と、を有する錠剤シート搬送ユニットが読み取り実行可能なプログラムであって、
前記錠剤シート搬送ユニットを、
前記搬送動作を開始後、前記検知機構により錠剤シートの通過を検知できなかった場合に、前記搬送動作を所定時間停止した後再開するように前記搬送機構を制御する制御手段として機能させることを特徴とするプログラム。
【請求項１０】
複数の錠剤シートを載置可能な投入部から錠剤を取り出す錠剤取出位置に、錠剤シートを搬送する搬送機構と、
前記搬送機構で搬送される錠剤シートの重力方向下側に位置する錠剤シート保持面に対して、１枚の錠剤シートが通過可能な隙間を設けて位置する重送防止部と、
前記重送防止部よりも前記錠剤シートの搬送方向下流側に設けられ、錠剤シートの通過を検知する検知機構と、
前記搬送動作を開始後、前記検知機構により前記搬送手段で搬送しようとする錠剤シートの通過を検知できなかった場合に、前記重送防止部よりも搬送方向上流側において前記搬送手段で搬送しようとする錠剤シートを振動させるべく制御する制御手段と、
を有することを特徴とする錠剤シート搬送ユニット。
【請求項１１】
複数の錠剤シートを載置可能な投入部から錠剤を取り出す錠剤取出位置に、錠剤シートを搬送する搬送機構と、前記搬送機構で搬送される錠剤シートの重力方向下側に位置する錠剤シート保持面に対して、１枚の錠剤シートが通過可能な隙間を設けて位置する重送防止部と、前記重送防止部よりも前記錠剤シートの搬送方向下流側に設けられ、錠剤シートの通過を検知する検知機構と、を有する錠剤シート搬送ユニットの制御方法であって、
前記搬送動作を開始後、前記検知機構により前記搬送手段で搬送しようとする錠剤シートの通過を検知できなかった場合に、前記重送防止部よりも搬送方向上流側において前記搬送手段で搬送しようとする錠剤シートを振動させるべく制御する制御工程を有することを特徴とする制御方法。
【請求項１２】
複数の錠剤シートを載置可能な投入部から錠剤を取り出す錠剤取出位置に、錠剤シートを搬送する搬送機構と、前記搬送機構で搬送される錠剤シートの重力方向下側に位置する錠剤シート保持面に対して、１枚の錠剤シートが通過可能な隙間を設けて位置する重送防止部と、前記重送防止部よりも前記錠剤シートの搬送方向下流側に設けられ、錠剤シートの通過を検知する検知機構と、を有する錠剤シート搬送ユニットが読み取り実行可能なプログラムであって、
前記錠剤シート搬送ユニットを、
前記搬送動作を開始後、前記検知機構により前記搬送手段で搬送しようとする錠剤シートの通過を検知できなかった場合に、前記重送防止部よりも搬送方向上流側において前記搬送手段で搬送しようとする錠剤シートを振動させるべく制御する制御手段として機能させることを特徴とするプログラム。
【手続補正２】
【補正対象書類名】明細書
【補正対象項目名】０００９
【補正方法】変更
【補正の内容】
【０００９】
本発明の錠剤シート搬送ユニットは、複数の錠剤シートを載置可能な投入部から錠剤シートの錠剤を取り出す錠剤取出位置に、錠剤シートを搬送する搬送動作を行うための搬送機構と、前記搬送機構で搬送される錠剤シートの重力方向下側に位置する錠剤シート保持面に対して、１枚の錠剤シートが通過可能な隙間を設けて位置する重送防止部と、前記重送防止部よりも錠剤シートの搬送方向下流側に設けられ、錠剤シートの通過を検知する検知機構と、前記搬送動作を開始後、前記検知機構により錠剤シートの通過を検知できなかった場合に、前記搬送動作を所定時間停止した後再開するように前記搬送機構を制御する制御手段と、を有することを特徴とする。
【手続補正３】
【補正対象書類名】明細書
【補正対象項目名】００１０
【補正方法】変更
【補正の内容】
【００１０】
本発明の錠剤シート搬送ユニットは、複数の錠剤シートを載置可能な投入部から錠剤を取り出す錠剤取出位置に、錠剤シートを搬送する搬送機構と、前記搬送機構で搬送される錠剤シートの重力方向下側に位置する錠剤シート保持面に対して、１枚の錠剤シートが通過可能な隙間を設けて位置する重送防止部と、前記重送防止部よりも前記錠剤シートの搬送方向下流側に設けられ、錠剤シートの通過を検知する検知機構と、前記搬送動作を開始後、前記検知機構により前記搬送手段で搬送しようとする錠剤シートの通過を検知できなかった場合に、前記重送防止部よりも搬送方向上流側において前記搬送手段で搬送しようとする錠剤シートを振動させるべく制御する制御手段と、を有することを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】